(57)【要約】【課題】アンテナパターンを柔軟に制御可能なアンテナパターン制御方法を提供する。【解決手段】アンテナ素子近傍で、アンテナゲインを抑圧すべき方向に電波吸収体を配置する。【選択図】図１
2007243283.tif 000002
【特許請求の範囲】
【請求項１】
アンテナ素子のアンテナパターンを制御する方法であって、
アンテナ素子近傍で、アンテナゲインを抑圧すべき方向に電波吸収体を配置すること、
を特徴とするアンテナパターン制御方法。
【請求項２】
前記電波吸収体を、
アンテナ素子を覆うアンテナレドームに貼り付けることによりアンテナ素子近傍に配置すること、
を特徴とする請求項１に記載のアンテナパターン制御方法。
【発明の詳細な説明】
【技術分野】
【０００１】
本発明は、無線信号品質改善のためのアンテナパターン制御技術に関する。
【背景技術】
【０００２】
無線通信システムにおいて、建造物、山、樹木等による反射波や、オーバリーチした無線信号等が干渉波となって受信無線信号に混入した場合、信号品質の劣化が生じる。反射波の原因となる障害物を移動させることは非常に難しい、あるいは、不可能である場合が多く、また、無線通信システム構築後に、新たに、反射波を発生させる建造物等が建設される場合もある。
【０００３】
つまり、干渉波の発生を置局設計のみで回避することは難しく、また、等化器等により干渉波を抑圧させることも可能ではあるが、コスト的に不利である。
【０００４】
これら干渉波による無線信号の品質劣化改善のため、アンテナ素子をホーンアンテナや、セクタアンテナ等の指向性を有するアンテナに交換し、干渉波の発生源が存在する方向へ輻射する電波強度を弱くすることが行われている（例えば、非特許文献１参照。）。
【０００５】
【非特許文献１】小川博世、“ミリ波ワイヤレスアクセスシステムの共同研究開発”、ＣＲＬ第１０５回研究発表会
【発明の開示】
【発明が解決しようとする課題】
【０００６】
しかしながら、従来技術による方法において、そのアンテナパターンは固定的であり、干渉波が存在する方向及びその数に応じて柔軟にアンテナパターンを形成することは難しいという問題がある。
【０００７】
したがって、本発明は、アンテナパターンを柔軟に制御可能なアンテナパターン制御方法を提供することを目的とする。
【課題を解決するための手段】
【０００８】
本発明におけるアンテナパターン制御方法によれば、
アンテナ素子のアンテナパターンを制御する方法であって、アンテナ素子近傍で、アンテナゲインを抑圧すべき方向に電波吸収体を配置することを特徴とする。
【０００９】
本発明のアンテナパターン制御方法における他の実施形態によれば、
前記電波吸収体を、アンテナ素子を覆うアンテナレドームに貼り付けることによりアンテナ素子近傍に配置することも好ましい。
【発明の効果】
【００１０】
電波吸収体をアンテナ近傍に配置することで、簡易にアンテナパターンの制御が可能になる。したがって、反射波等の干渉波が置局後に発生したとしても、容易に無線信号品質の改善が行える。特に、アンテナレドームが使用されている場合には、単にアンテナレドームに電波吸収体を貼り付けるのみでアンテナパターンが制御でき、電波吸収体をアンテナ素子近傍に配置するための特別な部材を必要とせず、低コストでアンテナパターンの制御が可能となる。
【発明を実施するための最良の形態】
【００１１】
本発明を実施するための最良の実施形態について、以下では図面を用いて詳細に説明する。
【００１２】
図１は、本発明によるアンテナパターン制御方法を説明する図である。図１（ａ）において、符号２は、オムニアンテナ等のアンテナ素子であり、符号１は、アンテナ素子２を覆うように設置されるアンテナレドームであり、符号３は、アンテナレドーム１のアンテナ素子２側の面、つまり、アンテナレドーム１の内面に貼り付けられた電波吸収体であり、符号１１は、アンテナレドーム１の円形状をした面である。図１（ｂ）は、図１（ａ）に示すアンテナ装置の内側を、アンテナレドーム１の面１１側から見た図である。以後の説明において、符号３１で示す、電波吸収体３の４辺のうち、面１１と同心である２辺以外の２つの直線が為す角度を中心角と呼ぶ。また、アンテナ素子２は、面１１側から見たときに無指向特性を示すものとする。なお、電波吸収体３の貼り付け位置は、アンテナレドーム１のアンテナ素子２とは反対側の面、つまり、アンテナレドーム１の外面であっても良い。
【００１３】
図２は、アンテナ素子２としてオムニアンテナを使用したときの、アンテナパターンを示す図である。図２は、図１（ｂ）と同じく、面１１側からみた図で、符号３はアンテナレドーム１の内面に、図１（ｂ）の様に貼り付けた電波吸収体の範囲のみを示している。また、符号２はアンテナ素子である。図２においては、アンテナパターンを、電波吸収体３を貼り付けていない時のアンテナパターンからの変化（ｄＢ）で表している。図２に示す様に、電波吸収体３を貼り付けた領域は、アンテナゲインが下がっており、アンテナゲインが連続して０ｄＢ近辺である領域を、サービス可能領域と呼び、それ以外の連続して０ｄＢを下回っている領域を抑圧領域と呼ぶものとする。図２において符号４で示す区間が抑圧領域である。
【００１４】
図２に示す様に、抑圧領域は、電波吸収体３を貼り付けた領域より約３０度程度広い領域となるが、電波吸収体３を干渉波の発生源である障害物方向に貼り付けることで、干渉波の強度を弱めることができる。
【００１５】
このように、電波吸収体３を貼り付ける位置とその幅で、アンテナパターンの制御が可能であり、電波の不要輻射を抑えることができる。また、電波吸収体３はある領域に連続して貼り付けるだけでなく、例えば、反射波を発生させる障害物が散在している状況では、障害物の方向に応じて複数の領域に分散して貼り付けることも可能である。
【００１６】
図３は、アンテナレドーム１の内面に、短冊形状の電波吸収体３を図１（ｂ）の様に貼り付けたときのアンテナパターンを、電波吸収体３の貼り付け枚数別に表した図である。使用した電波吸収体３は、その中心角が２２．５度となる大きさのもの、つまり、１６枚でアンテナレドーム１内部総てを覆うサイズのものを使用した。
【００１７】
図３の横軸に示す方位角の基準は、面１１方向から見たときの、面１１の中心から電波吸収体３を等分する方向であり、縦軸は、それぞれの角度におけるアンテナゲインを、電波吸収体を貼り付けていない状態での基準方向のアンテナゲインで正規化したものである。図３より、電波吸収体３の貼り付け枚数によって、抑圧領域と抑圧量を制御可能であることが分かる。
【００１８】
なお、アンテナ素子２を覆うアンテナレドーム１に電波吸収体３を貼り付ける実施形態で説明を行ったが、アンテナ素子２の近傍で、干渉波を受ける方向に電波吸収体を配置できればよく、電波吸収体を貼り付け又は配置する対象はアンテナレドーム１に限定されるものではない。更に、本発明によるアンテナパターン制御方法は、アンテナ形状、電波吸収体の種別や形状に係りなく適用可能である。
【図面の簡単な説明】
【００１９】
【図１】本発明によるアンテナパターン制御方法を説明する図である。
【図２】電波吸収体の貼り付け範囲とアンテナパターンの関係を示す図である。
【図３】電波吸収体の貼り付け枚数とアンテナパターンの関係を示す図である。
【符号の説明】
【００２０】
１  アンテナレドーム
１１  面
２  アンテナ素子
３  電波吸収体
３１  中心角
４  抑圧領域
【図１】
2007243283.tif 000003
【図２】
2007243283.tif 000004
【図３】
2007243283.tif 000005